(57)【要約】【課題】簡易な構成で且つ容易にストレーナをタンク本体内に設置することができる薬液タンクを提供する。【解決手段】薬液を貯留するタンク本体６と、薬液をポンプに供給するためにタンク本体６内に進入するホース７のその先端に設けられ、薬液を濾過するためのストレーナ８とを備える薬液タンク１において、タンク本体６の底部に、ストレーナ８を配置するための第１水溜部２３を設け、第１水溜部２３を、ストレーナ８の外形形状に合わせた形状とすると共に、第１水溜部２３の内面に、ストレーナ８の上下方向の移動を規制する凸部２４ａ，２４ｂを設けることで、ストレーナ８を第１水溜部２３に配置することによりストレーナ８の水平方向及び上下方向の移動を規制し、ブランケットやステー等の係止部材を用いなくとも簡易な構成で且つ容易にストレーナ８をタンク本体６内に設置可能とする。【選択図】図３
2010168081.tif 000002
【特許請求の範囲】
【請求項１】
ポンプ（２０）に供給する薬液を貯留するための薬液タンク（１）であって、前記薬液を貯留するタンク本体（６）と、前記薬液を前記ポンプ（２０）に供給するために前記タンク本体（６）内に進入するホース（７）のその先端に設けられ、前記薬液を濾過するためのストレーナ（８）とを備えた薬液タンク（１）において、
前記タンク本体（６）の底部（２２）には、前記ストレーナ（８）を配置するための第１水溜部（２３）が設けられており、
前記第１水溜部（２３）は、前記ストレーナ（８）の外形形状に合わせた形状とされ、
前記第１水溜部（２３）の内面には、前記ストレーナ（８）の上下方向の移動を規制する凸部（２４ａ，２４ｂ）が設けられていることを特徴とする薬液タンク（１）。
【請求項２】
前記タンク本体（６）の底部（２２）には、前記薬液の液面を検知する液面センサ（９）を取り付けるための第２水溜部（２５）が前記第１水溜部（２３）に隣接し当該第１水溜部（２３）に連通するように設けられていることを特徴とする請求項１記載の薬液タンク（１）。
【請求項３】
前記液面センサ（９）は、前記第２水溜部（２５）において前記ホース（７）から離れた位置に取り付けられていることを特徴とする請求項２記載の薬液タンク（１）。
【請求項４】
前記第１水溜部（２３）と前記第２水溜部（２５）との間は、前記ストレーナ（８）の外径寸法よりも幅寸法の小さい連通口（２６）により連通されていることを特徴とする請求項２又は３記載の薬液タンク（１）。
【請求項５】
前記タンク本体（６）は、前輪（１６）及び後輪（１７）により移動可能とされた台車（２）に搭載され、
前記第１水溜部（２３）は、前記タンク本体（６）内の前記薬液を排出するための排出口（１１）と連通するように設けられており、
前記排出口（１１）、前記第１水溜部（２３）及び前記第２水溜部（２５）は、前記タンク本体（６）の前部で、且つ前輪（１６）の車軸（１８）の前方に設けられていることを特徴とする請求項２〜４のいずれか一項記載の薬液タンク（１）。
【発明の詳細な説明】
【技術分野】
【０００１】
本発明は、薬液タンクに関する。
【背景技術】
【０００２】
従来、ポンプに供給する薬液を貯留するための薬液タンクであって、薬液を貯留するタンク本体と、薬液をポンプに供給するためにタンク本体内に進入するホースとを備えた薬液タンクが知られている（例えば、特許文献１参照）。この薬液タンクにあっては、底面に一対のリブが上方に凸となるように設けられ、このリブに挟まれた底面に最下点となる窪み部を設けると共に、ホースの先端をはめ込み吸入口を浮上支持するための吸管狭持溝を設けることで、ホースの吸入口が底部や側面に吸い付くことを防止すると共に、タンク本体内に残液を残すことなくポンプへ吸い込むことができる構成となっている。
【先行技術文献】
【特許文献】
【０００３】
【特許文献１】特許３６３５３２３号公報
【発明の概要】
【発明が解決しようとする課題】
【０００４】
ところで、上記の従来の薬液タンクのように、ポンプに供給する薬液を貯留する薬液タンクにあっては、薬液をポンプに供給するホースの先端に、薬液を濾過するためのストレーナ（濾過装置）が一般的に取り付けられる。このストレーナがホースに取り付けられた場合には、例えばタンク本体内に設けられた液面を検知するための液面センサとの干渉等といった問題を生じるおそれがある。そこで、ストレーナをタンク本体内に設置することが必要となるが、上記従来の薬液タンクにあっては、ホースが上下方向に移動してしまいストレーナが液面センサと干渉するおそれがあり、従って、ブラケットやステー等の係止部材が必要となる。この場合、タンク本体内の構成が複雑になると共に、タンク本体内におけるストレーナの設置が面倒になるといった問題があった。
【０００５】
本発明は、このような課題を解決するために成されたものであり、簡易な構成で且つ容易にストレーナをタンク本体内に設置することができる薬液タンクを提供することを目的とする。
【課題を解決するための手段】
【０００６】
本発明による薬液タンク（１）は、ポンプ（２０）に供給する薬液を貯留するための薬液タンク（１）であって、薬液を貯留するタンク本体（６）と、薬液をポンプ（２０）に供給するためにタンク本体（６）内に進入するホース（７）のその先端に設けられ、薬液を濾過するためのストレーナ（８）とを備えた薬液タンク（１）において、タンク本体（６）の底部（２２）には、ストレーナ（８）を配置するための第１水溜部（２３）が設けられており、第１水溜部（２３）は、ストレーナ（８）の外形形状に合わせた形状とされ、第１水溜部（２３）の内面には、ストレーナ（８）の上下方向の移動を規制する凸部（２４ａ，２４ｂ）が設けられていることを特徴とする。
【０００７】
この薬液タンク（１）によれば、タンク本体（６）の底部（２２）には、ストレーナ（８）を配置するための第１水溜部（２３）が設けられており、第１水溜部（２３）は、ストレーナ（８）の外形形状に合わせた形状であると共に、その内面には、ストレーナ（８）の上下方向の移動を規制する凸部（２４ａ，２４ｂ）が設けられているので、ストレーナ（８）を第１水溜部（２３）に配置することによって、ストレーナ（８）の外形形状に合わせた第１水溜部（２３）によりストレーナ（８）の水平方向の移動が規制されると共に、第１水溜部（２３）内面の凸部（２４ａ，２４ｂ）によりストレーナ（８）の上下方向の移動が規制される。このため、ブラケットやステー等の係止部材を用いなくとも簡易な構成で且つ容易にストレーナ（８）をタンク本体（６）内に設置することができる。
【０００８】
ここで、タンク本体（６）の底部（２２）には、薬液の液面を検知する液面センサ（９）を取り付けるための第２水溜部（２５）が第１水溜部（２３）に隣接し第１水溜部（２３）に連通するように設けられていることが好ましい。このような構成を採用した場合、第１水溜部（２３）においてストレーナ（８）の上下方向及び水平方向の移動が規制されているので、ストレーナ（８）と液面センサ（９）との干渉を防止することができる。
【０００９】
また、液面センサ（９）は、第２水溜部（２５）においてホース（７）から離れた位置に取り付けられていることが好ましい。このような構成を採用した場合、ホース（７）と液面センサ（９）との干渉を防止することができる。
【００１０】
また、第１水溜部（２３）と第２水溜部（２５）との間は、ストレーナ（８）の外径寸法よりも幅寸法の小さい連通口（２６）により連通されていることが好ましい。このような構成を採用した場合、連通口（２６）の幅寸法がストレーナ（８）の外径寸法よりも小さいので、簡易な構成でストレーナ（８）が第１水溜部（２３）から第２水溜部（２５）に移動することをより確実に防止できる。
【００１１】
また、タンク本体（６）は、前輪（１６）及び後輪（１７）により移動可能とされた台車（２）に搭載され、第１水溜部（２３）は、タンク本体（６）内の薬液を排出するための排出口（１１）と連通するように設けられており、排出口（１１）、第１水溜部（２３）及び第２水溜部（２５）は、タンク本体（６）の前部で、且つ前輪（１６）の車軸（１８）の前方に設けられていることが好ましい。このような構成を採用した場合、排出口（１１）から薬液を排出する際にこれより後側にある車軸（１８）が邪魔にならないため、作業性を確保することができる。また、車軸（１８）に対応する高さ位置まで薬液が入り、台車（２）の重心を低位置に設定でき安定化が図られる。
【発明の効果】
【００１２】
本発明によれば、簡易な構成で且つ容易にストレーナを設置することができる。
【図面の簡単な説明】
【００１３】
【図１】本発明の一実施形態に係る薬液タンクを搭載した散布装置を示す側面図である。
【図２】図１に示す薬液タンクの側面図である。
【図３】図２中の水溜部の内側を示す断面平面図である。
【図４】図３におけるＩＶ−ＩＶ矢視図である。
【発明を実施するための形態】
【００１４】
以下、本発明に係る薬液タンクの好適な実施形態について添付図面を参照しながら説明する。図１は、本発明の一実施形態に係る薬液タンクを搭載した散布装置を示す側面図、図２は、図１に示す薬液タンクの側面図、図３は、図２中の水溜部の内側を示す断面平面図、図４は、図３におけるＩＶ−ＩＶ矢視図である。
【００１５】
図１に示すように、散布装置１００は、薬液を貯留するための薬液タンク１と、この薬液タンク１を搭載し、移動可能な台車２と、薬液を薬液タンク１から送り出すためのポンプセット３と、薬液を散布する散布用ホース４を巻き取るためのホースリール５とを備えている。ポンプセット３及びホースリール５は、台車２に支持されて薬液タンク１の上方に配置されている。
【００１６】
図１〜図４に示すように、薬液タンク１は、タンク本体６と、図３及び図４に示すように、ホース７と、ストレーナ８と、液面センサ９とを備えている。
【００１７】
タンク本体６は、薬液を貯留する部分であり、このタンク本体６には、図１及び図２に示すように、当該タンク本体６に薬液を投入するための投入口１０と、タンク本体６内の薬液やタンク本体６内洗浄時の水を排出するための排出口（ドレン口）１１とが設けられている。投入口１０は、前側上部に設けられ、この投入口１０には、当該投入口１０を塞ぐための蓋１２が着脱可能に取り付けられている。また、排出口１１は、前側下部に設けられ、この排出口１１には、蓋１３が着脱可能に取り付けられている。
【００１８】
図３及び図４に示すホース７は、タンク本体６内の薬液をポンプセット３に供給するためのものであり、その大部分がタンク本体６内に進入している。このホース７の一端は、タンク本体６から外部へ延出し、タンク本体６の上方に配置されたポンプセット３のポンプ２０（後述）の吸入口に接続され、ホース７の他端は、タンク本体６内においてストレーナ８に接続されている。
【００１９】
ストレーナ８は、タンク本体６内の薬液をポンプ２０に供給する際、薬液中に含まれる異物（粗ゴミ等）を濾過するための装置であり、濾過部分１４と筒状部分１５とから構成されている。濾過部分１４は、外形が円形状を成しており、内部に異物を捕捉するためのメッシュ（図示しない）等を備えている。筒状部分１５は、濾過部分１４とホース７とを接続するためのものであり、濾過部分１４のメッシュを通過し濾過された薬液をホース７へ供給する。
【００２０】
液面センサ９は、フロート式のセンサであり、タンク本体６内の薬液の残量を検知（感知）するためのものである。
【００２１】
また、台車２は、図１に示すように、薬液タンク１、ポンプセット３及びホースリール５を搭載し、且つ移動するためのものであり、フレーム構造となっている。この台車２には、当該台車２を移動可能にするための一対の前輪１６及び一対の後輪（キャスタ）１７が回転自在に取り付けられている。一対の前輪１６は、車軸１８を介して台車２に取り付けられている。また、台車２には、作業者に把持されるハンドル１９が設けられている。
【００２２】
ポンプセット３は、上記のポンプ２０を含んで構成されている。このポンプ２０は、ポンプ作用を行うもので、原動機やバッテリ（図示しない）等を覆うカバー２１の側面より突出するように設けられており、前述したように、その吸入口がタンク本体６内に進入するホース７の一端に接続されている。ポンプ２０は、タンク本体６から薬液をポンプ２０の排出口に送り出し、この排出口に接続された散布用ホース４に排出する。
【００２３】
ホースリール５は、散布用ホース４の巻き取り及び繰り出しを行うもので、台車２に対して回転自在に搭載されている。このホースリール５は、台車２のハンドル１９に設けられたホースガイド（図示しない）を介して散布用ホース４の巻き取り及び繰り出しを行う。
【００２４】
ここで、特に本実施形態においては、図１〜図４に示すように、タンク本体６の底部２２に、ストレーナ８を配置するための第１水溜部２３が設けられている。この第１水溜部２３は、タンク本体６の底部２２の前部から下方に突設されている。第１水溜部２３は、図３及び図４に示すように、ストレーナ８（濾過部分１４）の外形形状に合わせた形状、すなわち内外面が断面円形の円筒状を有しており、その内面は、ストレーナ８が挿入可能な径となっている。
【００２５】
また、水溜部２３の入口部分の内面には、ストレーナ８の上下方向の移動を規制する一対の凸部２４ａ，２４ｂが対向して設けられている。そして、ストレーナ８は、このストレーナ８の外形形状に合わせた第１水溜部２３により水平方向の移動が規制されると共に、第１水溜部２３内面の凸部２４ａ，２４ｂにより上下方向の移動が規制され、タンク本体６内に固定支持（設置）される。なお、ストレーナ８は、濾過部分１４が凸部２４ａ，２４ｂに干渉しないように、図３中のＩＶ−ＩＶ線方向（図示左右方向）に傾けながら第１水溜部２３に挿入され、元に戻すことで凸部２４ａ，２４ｂにより上下方向の移動が規制される。
【００２６】
この第１水溜部２３は、排出口１１と連通している。具体的には、排出口１１は、第１水溜部２３の前側（図示左側）において、第１水溜部２３の前面部分から下方に傾斜して設けられている。これにより、第１水溜部２３の残液を排出することができる。
【００２７】
また、特に本実施形態においては、タンク本体６の底部２２に、薬液の液面を検知する液面センサ９を取り付けるための第２水溜部２５が第１水溜部２３に隣接しこの第１水溜部２３に連通するように設けられている。
【００２８】
具体的には、第２水溜部２５は、第１水溜部２３と同様にタンク本体６の底部２２の下方に突出し、第１水溜部２３の後側（図示右側）に隣接すると共に、この第１水溜部２３と連通口２６を介して連通するように設けられている。連通口２６は、第１水溜部２３の外径寸法よりも幅寸法が小さくなっている。第２水溜部２５は、平面視において略長方形とされ、その長手方向が、台車２の幅方向となるように配置される。そして、その両端部に、液面センサ９を取り付けるためのセンサ取付部２７ａ，２７ｂを備えている。本実施形態では、図３における上側のセンサ取付部２７ａに液面センサ９が取り付けられている。このような構成により、図３に示すように、ホース７の配置方向（図示左右方向）と、第２水溜部２５の２つのセンサ取付部２７ａ，２７ｂとを結ぶ直線方向（図示上下方向）とが直交することになり、ホース７と液面センサ９とが離間して配置されることになる。
【００２９】
また、図４に示すように、上記の第１水溜部２３の底部２８は、第２水溜部２５の底部２９と同じ高さとなるように設けられている。そして、第１水溜部２３と第２水溜部２５を連通させる連通口２６も、第１水溜部２３及び第２水溜部２５の底部２８，２９と同じ高さとなっている。つまり、第１水溜部２３及び第２水溜部２５の底部２８，２９と連通口２６とは、面一となっている。これにより、液面センサ９が第２水溜部２５において薬液の残量０を検知するときと、第１水溜部２３においてポンプ２０への薬液の供給が不能となるときとが一致するようになる。
【００３０】
以上のように、排出口１１、第１水溜部２３及び第２水溜部２５は、タンク本体６の前側下部に設けられている。そして、更に排出口１１、第１水溜部２３及び第２水溜部２５は、図１に示すように、前輪１６の車軸１８の前方に設けられている。
【００３１】
このように、本実施形態にあっては、タンク本体６の底部２２に、ストレーナ８を配置するための第１水溜部２３が設けられており、この第１水溜部２３は、ストレーナ８の外形形状に合わせた形状であると共に、その内面には、ストレーナ８の上下方向の移動を規制する凸部２４ａ，２４ｂが設けられているので、ストレーナ８を第１水溜部２３に配置することによって、ストレーナ８の外形形状に合わせた第１水溜部２３によりストレーナ８の水平方向の移動が規制されると共に、第１水溜部２３内面の凸部２４ａ，２４ｂによりストレーナ８の上下方向の移動が規制される。このため、ブランケットやステー等の係止部材を用いなくとも簡易な構成で且つ容易にストレーナ８をタンク本体６内に設置することができる。
【００３２】
また、タンク本体６の底部２２には、薬液の液面を検知する液面センサ９を取り付けるための第２水溜部２５が第１水溜部２３に隣接し第１水溜部２３に連通するように設けられているので、第１水溜部２３において上下方向及び水平方向の移動が規制されているストレーナ８と液面センサ９との干渉を防止することができる。
【００３３】
また、液面センサ９は、第２水溜部２５においてホース７から離れた位置に取り付けられているので、ホース７と液面センサ９との干渉を防止することができる。
【００３４】
また、第１水溜部２３と第２水溜部２５との間は、ストレーナ８の外径寸法よりも幅寸法の小さい連通口２６により連通されているので、簡易な構成でストレーナ８が第１水溜部２３から第２水溜部２５に移動することをより確実に防止できる。
【００３５】
また、タンク本体６は、前輪１６及び後輪１７により移動可能とされた台車２に搭載され、第１水溜部２３は、タンク本体６内の薬液を排出するための排出口１１と連通するように設けられており、排出口１１、第１水溜部２３及び第２水溜部２５は、タンク本体６の前部で、且つ前輪１６の車軸１８の前方に設けられているため、排出口１１から薬液を排出する際にこれより後側にある車軸１８が邪魔にならず、作業性を確保することができる。更に、車軸１８に対応する高さ位置まで薬液が入り、台車２の重心を低位置に設定でき安定化を図ることができる。
【００３６】
以上、本発明をその実施形態に基づき具体的に説明したが、本発明は上記実施形態に限定されるものではなく、例えば、上記実施形態においては、第１水溜部２３を断面円形状としたが、要はストレーナ８の外形形状に合わせた形状であればよい。
【符号の説明】
【００３７】
１…薬液タンク、２…台車、６…タンク本体、７…ホース、８…ストレーナ、９…液面センサ、１１…排出口、１６…前輪、１７…後輪、１８…車軸、２０…ポンプ、２２…底部、２３…第１水溜部、２４ａ，２４ｂ…凸部、２５…第２水溜部、２６…連通口。
【図１】
2010168081.tif 000003
【図２】
2010168081.tif 000004
【図３】
2010168081.tif 000005
【図４】
2010168081.tif 000006